(57)【要約】      （修正有）【課題】取り外し防止が可能のうえに、複数の電池デバイスに直接に接続することで適量かつ十分な電力を供給できるトラッカーを提供する。【解決手段】追跡デバイス１０と、電池デバイス２０〜２２と、を含むトラッカーであって、追跡デバイスは、凹溝１１１、固定穴及び導電性接点を備え、電池デバイスが収容部３０と収容部に一体に結合された本体部４０とを備え、収容部が収容溝３５、突起、貫通穴３３１及び導電端子３５１を備え、本体部が凹溝４１１、固定穴、導電性接点を備える。追跡デバイスは、収容溝に収容され、追跡デバイスの凹溝、固定穴及び導電性接点が電池デバイスの突起、貫通穴及び導電端子に各々対応する。本体部の外形及び凹溝、固定穴及び導電性接点の設置位置は、本体部を別の電池デバイスの収容溝に収容させるために、追跡デバイスと同じに設定されている。【選択図】図１
0003225813.tif 000002
【実用新案登録請求の範囲】
【請求項１】
少なくとも１個の凹溝を有する頂面と、少なくとも１個の固定穴を有する底面と、を備える追跡デバイスと、
収容部と、前記収容部に一体に結合された本体部と、を備え、前記収容部が天板と、底板と、前記天板と底板との間に設けられた収容溝と、を備え、前記天板が前記収容溝に面する少なくとも１個の突起を有し、前記底板が前記底板を貫通しかつ前記収容溝に連通された少なくとも１個の貫通穴を有し；前記本体部は、頂面と、底面とを備え、前記頂面が少なくとも１個の凹溝を有し、前記底面が少なくとも１個の固定穴を有する電池デバイスと、
を含むトラッカーであって、
前記追跡デバイスは、前記収容溝に収容され、前記追跡デバイスの前記凹溝及び前記固定穴が各々前記電池デバイスの前記突起及び前記貫通穴に対応し、前記本体部の外形及び備える前記凹溝と前記固定穴の設置位置が前記追跡デバイスと同じである、トラッカー。
【請求項２】
前記追跡デバイスは、側面を備え、前記側面に複数の導電性接点を有し、前記電池デバイスの収容溝内には複数の導電端子を有し、前記電池デバイスの本体部が側面を備え、前記側面に複数の導電性接点を有し、前記追跡デバイスの複数の導電性接点が前記電池デバイスの複数の導電端子に対応し、前記本体部の複数の導電性接点の設置位置が前記追跡デバイスと同じである、請求項１に記載のトラッカー。
【請求項３】
前記底板にタンパースイッチが取り付けられ、前記トラッカーの底板が物体に固設された時、前記タンパースイッチのアラームがオフにされ、前記トラッカーが前記物体から分離されると、前記タンパースイッチのアラームをオンになる、請求項２に記載のトラッカー。
【請求項４】
前記タンパースイッチは、押しボタンスイッチ、光電スイッチ又はリードスイッチである、請求項３に記載のトラッカー。
【請求項５】
前記底板には、前記トラッカーを物体に固設するための少なくとも１個の磁石が取り付けられる、請求項３に記載のトラッカー。
【考案の詳細な説明】
【技術分野】
【０００１】
本考案は、トラッカー（ｔｒａｃｋｅｒ）に関し、特に、取り外し防止可能及び複数の電池デバイスに直列接続するトラッカーに関する。
【背景技術】
【０００２】
使用中又は輸送中の物体の安全性を確保するため、通常物体にトラッカーが取り付けられ、トラッカーから送信される無線信号を遠隔監視することにより、物体の現在位置を知ることができ、これを介して物体が正常に使用又は輸送されているかどうかを判断できる。
【０００３】
しかしながら、従来のトラッカーは、偶然に又は意図的に物体から分離しやすいである。そして、トラッカーの使用期間がその運用によって異なり、例えば数日から数年かかる場合があり、トラッカーの電力供給が監視期間にわたって継続できる必要があるため、従来のトラッカーの電力供給が実際の需要を満たさないことがよくある。
【０００４】
上記問題点を克服するため、改善されたトラッカーを開発することが現在の急務となっている。
【考案の概要】
【考案が解決しようとする課題】
【０００５】
本考案は、取り外し防止が可能のうえに、複数の電池デバイスに直接に接続することで、適量かつ十分な電力を供給できるトラッカーを提供することを目的とする。
【課題を解決するための手段】
【０００６】
上記目的を達成するため、本考案に係るトラッカーは、少なくとも１個の凹溝を有する頂面と少なくとも１個の固定穴を有する底面とを備える追跡デバイスと、収容部と前記収容部に一体に結合された本体部とを備え、前記収容部が天板と、底板と、前記天板と底板との間に設けられた収容溝と、を備え、前記天板が前記収容溝に面する少なくとも１個の突起を有し、前記底板が前記底板を貫通しかつ前記収容溝に連通された少なくとも１個の貫通穴を有し；前記本体部は、頂面と底面とを備え、前記頂面が少なくとも１個の凹溝を有し、前記底面が少なくとも１個の固定穴を有する電池デバイスと、を含み、前記追跡デバイスは前記収容溝に収容され、前記追跡デバイスの凹溝及び固定穴が各々前記電池デバイスの突起及び貫通穴に対応し、前記本体部の外形及び備える凹溝と固定穴の設置位置が前記追跡デバイスと同じである。
【図面の簡単な説明】
【０００７】
【図１】図１は、本考案のトラッカーを示す図である。
【図２】図２は、追跡デバイスの背面の底面図である。
【図３】図３は、電池デバイスの前面の底面図である。
【図４】図４は、電池デバイスの背面の底面図である。
【図５】図５は、本考案のトラッカーが物体に固設された様子を示す図である。
【図６】図６は、本考案のトラッカーが物体から分離された様子を示す図である。
【考案を実施するための形態】
【０００８】
図１は、追跡デバイス１０と、少なくとも１個の電池デバイス２０と、を含む本考案のトラッカーを示す。説明の便宜上、少なくとも１個の電池デバイス２０は、第１電池デバイス２１及び第２電池デバイス２２として示されている。追跡デバイス１０は、第１電池デバイス２１と組み合わせて追跡デバイス１０の動作に必要な電力を第１電池デバイス２１から供給でき、さらに第２電池デバイス２２と組み合わせて追跡デバイス１０の動作に必要な電力を第１、第２電池デバイス２１、２２から供給できる。これにより、本考案は、実際の需要に応じて必要な数の電池デバイス２０と組み合わせることで、追跡デバイス１０に適しかつ十分な電力を供給できる。
【０００９】
図１内に示す追跡デバイス及び図２に示す追跡デバイスの背面の底面図では、追跡デバイス１０は、頂面１１と、底面１３と、側面１５と、を有し、追跡デバイス１０の頂面１１が少なくとも１個の凹溝１１１を有し、底面１３が少なくとも１個の固定穴１３１を有し、側面１５が複数の導電性接点１５１を有し、本実施形態では、前記少なくとも１個の凹溝１１１が３個の凹溝１１１であり、前記少なくとも１個の固定穴１３１が２個の固定穴１３１であり、複数の導電性接点１５１が各々電池の陽極及び陰極に対応する２つの導電性接点１５１である。
【００１０】
図１内に示す電池デバイス、及び図３と図４に示す各々電池デバイスの前面の底面図及び背面の底面図では、電池デバイス２０は、収容部３０と前記収容部３０に一体に結合された本体部４０とを備え、収容部３０が天板３１と、底板３３と、前記天板３１と底板３３との間に設けられた収容溝３５と、を備え、天板３１が収容溝３５に面する少なくとも１個の突起３１１を有し、底板３３が底板３３を貫通しかつ前記収容溝３５に連通された少なくとも１個の貫通穴３３１を有し、収容溝３５内に複数の導電端子３５１を有し、本実施形態では、前記少なくとも１個の突起３１１が３個の突起３１１であり、前記少なくとも１個の貫通穴３３１が２個の貫通穴３３１であり、複数の導電端子３５１が各々電池の陽極及び陰極に対応する２個の導電端子３５１である。本体部４０は、頂面４１と、底面４３及び側面４５を備え、頂面４１が少なくとも１個の凹溝４１１を有し、底面４３が少なくとも１個の固定穴４３１を有し、側面４５が複数の導電性接点４５１を有し、本実施形態では、前記少なくとも１個の凹溝４１１が３個の凹溝４１１であり、前記少なくとも１個の固定穴４３１が２個の固定穴４３１であり、複数の導電性接点４５１が各々電池の陽極及び陰極に対応する２個の導電性接点４５１である。
【００１１】
収容部３０は、追跡デバイス１０が電池デバイス２０と組み合わせるため、収容溝３５内に収容された時、追跡デバイス１０の凹溝１１１、固定穴１３１及び導電性接点１５１が各々電池デバイス２０の突起３１１、貫通穴３３１及び導電端子３５１に対応するように構成される。したがって、前記追跡デバイス１０の凹溝１１１は、突起３１１と係合し、前記追跡デバイス１０の固定穴１３１が貫通穴３３１と位置合わせされることで、ネジ６０（図１）で追跡デバイス１０及び電池デバイス２０を締結でき、追跡デバイス１０の導電性接点１５１が各々複数の導電端子３５１に接触することで、電池デバイス２０の電力を追跡デバイス１０に供給させることができる。
【００１２】
本体部４０は、追跡デバイス１０と同じ外形になるよう構成され、かつ備えた凹溝４１１、固定穴４３１及び導電性接点４５１の設置位置が追跡デバイス１０の凹溝１１１、固定穴１３１及び導電性接点１５１と同じであるため、電池デバイス２０（第１電池デバイス２１）の本体部４０が別の電池デバイス２０（第２電池デバイス２２）の収容溝３５に収容されることができ、これに従って、より多くの電池デバイス２０を組み合わせることができる。そして、第１電池デバイス２１の本体部４０が第２電池デバイス２２の収容溝３５に収容されると、本体部４０的凹溝４１１は第２電池デバイス２２の突起３１１と係合し、本体部４０の固定穴４３１が第２電池デバイス２２の貫通穴３３１と位置合わせされることで、ネジ６０（図１）で第１電池デバイス２１及び第２電池デバイス２２を締結でき、第１電池デバイス２１の本体部４０の導電性接点４５１が各々第２電池デバイス２２の導電端子３５１に接触することで、第１、第２電池デバイス２１、２２が追跡デバイス１０に並列給電させることができる。
【００１３】
次に、図３に示す電池デバイスの前面の底面図及び図４に示す背面の底面図を参照すると、電池デバイス２０の底板３３にタンパースイッチ（ｔａｍｐｅｒ  ｓｗｉｔｃｈ）３３３及び少なくとも１個の磁石（ｍａｇｎｅｔ）３３５が取り付けられ、底板３３の両端部に各々少なくとも１個の接合孔３３７を有し、本実施形態では、タンパースイッチ３３３が底板３３の中央に設けられた押しボタンスイッチ（ｐｕｓｈｂｕｔｔｏｎ  ｓｗｉｔｃｈ）であり、少なくとも１個の磁石３３５がタンパースイッチ３３３の両側にそれぞれ設けられた２個の強力磁石であり、少なくとも１個の接合孔３３７が２個のネジ穴３３７１と、ケーブルタイ用穴３３７３と、を含む。そして、図５に示すように、トラッカーは磁石３３５の磁力により物体９０に固設され、またネジ６０でネジ穴３３７１を介してトラッカーを物体９０に締結し、ケーブルタイ（ｃａｂｌｅ  ｔｉｅ）７０でケーブルタイ用穴３３７３を介してトラッカーを物体９０に縛ることができる。トラッカーが物体９０に密着しているため、タンパースイッチ３３３が押し当てられることでアラームをオフにする。逆に、図６に示すように、前記トラッカーは前記物体９０から分離されると、タンパースイッチ３３３が解放されてアラームをオンになり、遠隔制御センターにこのトラッカーが物体から分離された状態を通知することができ、それにより取り外し防止の効果を奏する。また、前記タンパースイッチ３３３は、光電スイッチ、リードスイッチなどのトラッカーと物体の分離を検出できる任意のスイッチとすることもできる。
【００１４】
上記実施形態は、説明の便宜上の例に過ぎず、本考案によって主張される権利範囲は、上記実施形態に限定されるのではなく、特許請求の範囲を基準とする。
【符号の説明】
【００１５】
１０                追跡デバイス
１１、４１          頂面
１１１、４１１      凹溝
１３、４３          底面
１３１、４３１      固定穴
１５、４５          側面
１５１、４５１      導電性接点
２０、２１、２２    電池デバイス
３０                収容部
３１                天板
３１１              突起
３３                底板
３３１              貫通穴
３３３              タンパースイッチ
３３５              磁石
３３７              接合孔
３３７１            ネジ穴
３３７３            ケーブルタイ用穴
３５                収容溝
３５１              導電端子
４０                本体部
７０                ケーブルタイ
９０                物体
【図１】
0003225813.tif 000003
【図２】
0003225813.tif 000004
【図３】
0003225813.tif 000005
【図４】
0003225813.tif 000006
【図５】
0003225813.tif 000007
【図６】
0003225813.tif 000008